(57)【要約】  本発明は、車両のためのアシストステアリングシステム（１）を管理するための方法に関する。アシストステアリングシステムは、運転手の車両の運転を手伝うことを目的とする少なくとも１つのアシスト機能（Ｆ１）、およびアシスト機能に、ＩＳＯ−２６２６２規格において定義される所定のＡＳＩＬレベルを与えることを目的とする少なくとも１つの安全機能（Ｆ２）を含む。アシスト機能および安全機能のそれぞれは、車両速度インジケータパラメータ（Ｖ＿ｐａｒａｍ）を活用する。この方法は、車両の実際の長軸方向の速度を表し、デフォルトで、車両速度インジケータパラメータ（Ｖ＿ｐａｒａｍ）として使用される関数速度（Ｖ＿ｆｕｎｃ）を推定するステップ（ａ）と、速度上限（Ｖ＿ｕｐｐｅｒ）を推定するステップ（ｂ）と、低減則（ＬＲ）から得られる低減値（Ｖ＿ｒｅｄｕｃ）を速度上限（Ｖ＿ｕｐｐｅｒ）に適用することによって生じる過小推定速度（Ｖ＿ｕｎｄｅｒ）を計算するステップ（ｃ）と、関数速度（Ｖ＿ｆｕｎｃ）が過小推定速度（Ｖ＿ｕｎｄｅｒ）も低い場合に行われる、切り換えステップ（ｅ）であって、車両速度インジケータパラメータ（Ｖ＿ｐａｒａｍ）として、関数速度（Ｖ＿ｆｕｎｃ）を過小推定速度（Ｖ＿ｕｎｄｅｒ）に置き換えるように切り換えるステップ（ｅ）とを包含する。【選択図】図２
2020533237.tif 000002
【特許請求の範囲】
【請求項１】
車両用パワーステアリングシステム（１）を管理するための方法であって、
前記パワーステアリングシステムは、前記車両の操縦において運転手をアシストすることを目的とする少なくとも１つのアシスト機能（Ｆ１）、および前記アシスト機能に、ＩＳＯ−２６２６２規格において定義される所定のＡＳＩＬレベルを与えることを目的とする少なくとも１つの安全機能（Ｆ２）を含む複数の機能を含み、
前記アシスト機能（Ｆ１）および前記安全機能（Ｆ２）のそれぞれは、前記車両の速度を示す同じパラメータ（Ｖ＿ｐａｒａｍ）を使用し、前記パラメータ（Ｖ＿ｐａｒａｍ）は、前記車両の長軸方向の速度を表すとし、
前記方法は、
関数速度を推定するステップ（ａ）であって、前記ステップ（ａ）中に、注目する時点における前記車両の実際の長軸方向の速度を表す、「関数速度」（Ｖ＿ｆｕｎｃ）と呼ばれる、第１速度値が推定され、前記関数速度（Ｖ＿ｆｕｎｃ）は、「通常動作モード」と呼ばれる第１動作モードにおいて、デフォルトで、前記車両の速度を示すパラメータ（Ｖ＿ｐａｒａｍ）として使用される、ステップ（ａ）と、
速度上限を推定するステップ（ｂ）であって、前記ステップ（ｂ）中に、「速度上限」（Ｖ＿ｕｐｐｅｒ）と呼ばれる第２速度値が推定され、前記第２速度値は、前記関数速度（Ｖ＿ｆｕｎｃ）よりも高く、前記注目する時点における前記車両の実際の長軸方向の速度の上限を表す、ステップ（ｂ）と、
過小推定速度を計算するステップ（ｃ）であって、前記ステップ（ｃ）中に、過小推定速度値（Ｖ＿ｕｎｄｅｒ）を得るように、所定の低減則（ＬＲ）が前記速度上限（Ｖ＿ｕｐｐｅｒ）に適用され、前記過小推定速度値（Ｖ＿ｕｎｄｅｒ）は、前記速度上限（Ｖ＿ｕｐｐｅｒ）よりも、前記低減則（ＬＲ）によって設定される所定の低減値（Ｖ＿ｒｅｄｕｃ）だけ低い、ステップ（ｃ）と、
比較ステップ（ｄ）であって、前記比較ステップ（ｄ）中に、前記関数速度値（Ｖ＿ｆｕｎｃ）は、絶対値で、前記過小推定速度値（Ｖ＿ｕｎｄｅｒ）と比較される、比較ステップ（ｄ）と、
前記関数速度（Ｖ＿ｆｕｎｃ）の絶対値が前記過小推定速度（Ｖ＿ｕｎｄｅｒ）の絶対値よりも小さい場合に行われる、切り換えステップ（ｅ）であって、前記切り換えステップ（ｅ）中に、前記アシストおよび安全機能（Ｆ１、Ｆ２）のそれぞれの入力において使用される前記車両の速度を示すパラメータ（Ｖ＿ｐａｒａｍ）として、前記関数速度（Ｖ＿ｆｕｎｃ）を前記過小推定速度（Ｖ＿ｕｎｄｅｒ）に置き換えることによって、前記通常動作モードから、「安全モード」と呼ばれる第２動作モードに切り換える、切り換えステップ（ｅ）と、を包含する
ことを特徴とする管理方法。
【請求項２】
前記低減則（ＬＲ）は、テストおよび／またはシミュレーションを介して予め設定され、前記テストおよび／またはシミュレーション中に、前記車両の所与のゼロでない実際の長軸方向の速度において、前記速度指示パラメータの低閾値（Ｖ＿ｐａｒａｍ＿ｔｈｒｅｓｈ＿ｌｏｗ）を特定するまで、前記アシスト機能（Ｆ１）および前記安全機能（Ｆ２）によって考慮される、前記車両の速度を示すパラメータ（Ｖ＿ｐａｒａｍ）を、絶対値において、漸進的かつ人為的に低下させ、そして前記安全機能（Ｆ２）および／または前記車両の対応する反応を観察し、前記速度指示パラメータの低閾値（Ｖ＿ｐａｒａｍ＿ｔｈｒｅｓｈ＿ｌｏｗ）から、前記安全機能（Ｆ２）が前記所与の実際の長軸方向の速度において所望のＡＳＩＬレベルに準拠する安全を確保することがもはやできないことがわかり、このとき、前記速度指示パラメータの低閾値（Ｖ＿ｐａｒａｍ＿ｔｈｒｅｓｈ＿ｌｏｗ）から、前記低減則（ＬＲ）に対して保持される低減値（Ｖ＿ｒｅｄｕｃ）が設定される
ことを特徴とする請求項１に記載の管理方法。
【請求項３】
前記低減則（ＬＲ）は、好ましくは、前記速度上限（Ｖ＿ｕｐｐｅｒ）が絶対値において増加する場合に、前記低減値（Ｖ＿ｒｅｄｕｃ）を絶対値において増加させるように、前記推定された速度上限（Ｖ＿ｕｐｐｅｒ）に応じて、前記低減値（Ｖ＿ｒｅｄｕｃ）を調節する
ことを特徴とする請求項１または２に記載の管理方法。
【請求項４】
前記低減則（ＬＲ）は、各速度上限値（Ｖ＿ｕｐｐｅｒ）に、前記過小推定速度（Ｖ＿ｕｎｄｅｒ）を得るために前記速度上限（Ｖ＿ｕｐｐｅｒ）から減算される低減値（Ｖ＿ｒｅｄｕｃ）を関連づける所定のアバクスの形態で不揮発性メモリに記憶されるか、または各速度上限値（Ｖ＿ｕｐｐｅｒ）に、前記注目の速度上限（Ｖ＿ｕｐｐｅｒ）に適用可能な前記低減値（Ｖ＿ｒｅｄｕｃ）を考慮する過小推定速度値（Ｖ＿ｕｎｄｅｒ）を直接に関連づける所定のアバクスの形態で不揮発性メモリに記憶される
ことを特徴とする請求項１から３のいずれか１つに記載の管理方法。
【請求項５】
速度上限を推定するステップ（ｂ）中に、繰り返しにおける現在の回（ｎ）に対応する注目の時点（ｔ＿ｎ）において、前記速度上限（Ｖ＿ｕｐｐｅｒ（ｔ＿ｎ））は、前記車両の車輪の回転速度の測定値などの少なくとも１つの入力速度測定値（Ｖ＿ｒｏｕｅ）から評価され、次いで、前記速度上限（Ｖ＿ｕｐｐｅｒ（ｔ＿ｎ））は、単位時間当たりの前記速度上限の対応する変化量を評価するために、繰り返しにおける前回（ｎ−１）中に評価された前記速度上限（Ｖ＿ｕｐｐｅｒ（ｔ＿ｎ−１））と比較され、または、繰り返しにおける現在の回の前記入力速度測定値（Ｖ＿ｒｏｕｅ（ｔ＿ｎ））は、単位時間当たりの前記入力速度測定値の対応する変化量を評価するために、繰り返しにおける前回の前記入力速度測定値（Ｖ＿ｒｏｕｅ（ｔ＿ｎ−１））と比較され、それぞれ、単位時間当たりの前記速度上限の前記変化量、または、単位時間当たりの前記入力速度測定値の前記変化量は、「観察された速度勾配」（Ｇｒａｄ（Ｖ））と呼ばれ、次いで、前記観察された速度勾配（Ｇｒａｄ（Ｖ））は、「尤もらしい最大勾配」（Ｇｒａｄ＿ｒｅｆ＿１）と呼ばれる第１基準勾配と比較され、前記第１基準勾配は、前記車両の加速および制動試験を介して予め決定され、前記観察された速度勾配（Ｇｒａｄ（Ｖ））が、絶対値において、前記第１の尤もらしい最大勾配（Ｇｒａｄ＿ｒｅｆ＿１）よりも高い場合、繰り返しにおける現在の回の前記速度上限（Ｖ＿ｕｐｐｅｒ（ｔ＿ｎ））は、繰り返しにおける前回の前記速度上限（Ｖ＿ｕｐｐｅｒ（ｔ＿ｎ−１））に、または、繰り返しにおける前回の前記入力速度測定値（Ｖ＿ｒｏｕｅ（ｔ＿ｎ−１））に、前記観察された速度勾配（Ｇｒａｄ（Ｖ））の代わりに、前記上流の尤もらしい最大勾配（Ｇｒａｄ＿ｒｅｆ＿１）を適用することにより、クリッピングにより、補正される
ことを特徴とする請求項１から４のいずれか１つに記載の管理方法。
【請求項６】
前記切り換えステップ（ｅ）は、前記関数速度（Ｖ＿ｆｕｎｃ）が、絶対値において、前記過小推定速度（Ｖ＿ｕｎｄｅｒ）よりも低くなるとすぐに、前記速度指示パラメータ（Ｖ＿ｐａｒａｍ）を前記関数速度（Ｖ＿ｆｕｎｃ）から前記過小推定速度（Ｖ＿ｕｎｄｅｒ）に即時に移行させることによって、前記通常動作モードから前記安全モードへの即時切り換えを操作する
ことを特徴とする請求項１から５のいずれか１つに記載の管理方法。
【請求項７】
前記切り換えステップ（ｅ）は、所定の許容閾値に達するかまたはそれを超える、「欠陥期間」と呼ばれる、ゼロでない期間に、前記関数速度（Ｖ＿ｆｕｎｃ）が、絶対値において、前記過小推定速度（Ｖ＿ｕｎｄｅｒ）よりも小さいままである場合にのみ、前記速度指示パラメータ（Ｖ＿ｐａｒａｍ）を前記関数速度（Ｖ＿ｆｕｎｃ）から前記過小推定速度（Ｖ＿ｕｎｄｅｒ）に移行させることによって、前記通常動作モードから前記安全モードへの遅延切り換えを操作する
ことを特徴とする請求項１から５のいずれか１つに記載の管理方法。
【請求項８】
前記方法は、前記切り換えステップ（ｅ）の後に、強化安全ステップ（ｆ）を包含し、前記強化安全ステップ（ｆ）中に、前記安全モードがアクティブのままである、「安全期間」と呼ばれる期間が測定され、前記安全期間が所定の警戒閾値に達するかまたは超える場合、前記車両の速度を示すパラメータ（Ｖ＿ｐａｒａｍ）を前記過小推定速度（Ｖ＿ｕｎｄｅｒ）から、前記速度上限（Ｖ＿ｕｐｐｅｒ）以上の、「強化安全速度」（Ｖ＿ｅｎｈａｎｃｅｄ）と呼ばれる値に移行させることによって、前記安全モードから、強化安全モードと呼ばれる第３動作モードに切り換える
ことを特徴とする請求項１から７のいずれか１つに記載の管理方法。
【請求項９】
前記車両の速度を示すパラメータ（Ｖ＿ｐａｒａｍ）の値の変更は、ある動作モードから別の動作モードへの前記切り換えの際に操作され、ランプ、補間関数、またはフィルタリングなどの少なくともＣ０の連続性クラスを有する遷移則に従う
ことを特徴とする請求項１から８のいずれか１つに記載の管理方法。
【請求項１０】
前記切り換えステップ（ｅ）は、クリッピングサブステップを含み、前記クリッピングサブステップ中は、前記速度指示パラメータ（Ｖ＿ｐａｒａｍ）の変化率（Ｇｒａｄ（Ｖ＿ｐａｒａｍ））が第２の尤もらしい最大勾配（Ｇｒａｄ＿ｒｅｆ＿２）を使用する第２勾配リミッタ（５）によってクリッピングされ、前記第２の尤もらしい最大勾配（Ｇｒａｄ＿ｒｅｆ＿２）は、前記車両が与えることのできる最大加速度または最大減速度を表す
ことを特徴とする請求項６または７に記載の管理方法。
【請求項１１】
前記安全機能（Ｆ２）は、ＩＳＯ−２６２６２規格において定義される、少なくともＢに等しい、好ましくは少なくともＣに等しい、さらにはＤに等しいＡＳＩＬレベルを保証する
ことを特徴とする請求項１から１０のいずれか１つに記載の管理方法。
【請求項１２】
請求項１から１１のいずれか１つに記載の管理方法の適用を可能にするコントローラ（１０）を備えるパワーステアリングシステム（１）。
【発明の詳細な説明】
【技術分野】
【０００１】
本発明は、車両用パワーステアリングシステムを管理するための方法に関する。
【背景技術】
【０００２】
そのようなステアリングシステムに、一方においてアシスト機能、他方において安全機能を組み込むことが知られている。アシスト機能は、車両の操縦（ｐｉｌｏｔｉｎｇ）において運転手をアシストすることを目的とし、手動操縦をアシストするための動力（ｅｆｆｏｒｔ）を与えること、または車両の軌道のサーボ制御を介して車両の実際の自動操縦（例えば、「駐車アシスト」または「車線維持」のため）を確実にすることのいずれかかによってアシストする。安全機能は、十分な安全および信頼性レベルをシステム、特にアシスト機能、に与えることを目的とする。
【０００３】
この目的のために、安全規格であるＩＳＯ−２６２６２は、「ＡＳＩＬ」（「Ａｕｔｏｍｏｔｉｖｅ  Ｓａｆｅｔｙ  Ｉｎｔｅｇｒｉｔｙ  Ｌｅｖｅｌ（自動車安全性要求レベル）」の略）安全レベルを、危険分析から、規定することを示唆している。安全レベルは、最低レベルから最高要求レベルの、「ＱＭ」（「Ｑｕａｌｉｔｙ  Ｍａｎａｇｅｍｅｎｔ（品質管理）」の略、すなわち、安全とは無関係）、次いで「Ａ」、「Ｂ」、「Ｃ」および最後の「Ｄ」と表記される。これらのレベルは、各起こり得る危険状況（または、「危惧される事象（ｄｒｅａｄｅｄ  ｅｖｅｎｔ）」）を以下の３つのパラメータによって特徴づけることによって決定される。
【０００４】
・危険状況の過酷度（ｓｅｖｅｒｉｔｙ）、すなわち、車両の乗員が被る可能性のある傷害の深刻度（傷害なしのＳ０から、重度な傷害または生命を脅かす致命的な傷害のＳ３まで）
・危険状況の発生頻度（ｅｘｐｏｓｕｒｅ）、すなわち、傷害が生じる可能性のある動作条件の予測可能な発生頻度（傷害が稀な動作条件下のみで生じる、ほぼゼロの確率のＥ０、または非常に低いＥ１から、傷害が大半の動作条件下に生じることがほぼ確実である、高確率Ｅ４まで）
・危険状況の回避難易度（ｃｏｎｔｒｏｌｌａｂｉｌｉｔｙ）、すなわち、運転手またはシステムが状況を制御し、傷害を回避するように動作（または、反応）し得る確率（略制御可能な状況Ｃ０から、制御困難、さらには全面的に制御不能な状況Ｃ３まで）
ＡＳＩＬレベルは、これら３つのパラメータの組み合わせ（乗積）に依存する。
【０００５】
したがって、例として、重度な傷害Ｓ３を、高い発生確率Ｅ４で生じさせ、かつ制御不能Ｃ３である危険事象は、ＡＳＩＬレベルＤ（最高レベル）に属することになる。
【０００６】
しかし、制御不能Ｃ３であり、かつ重度な傷害Ｓ３を生じさせる同じ事象でも、発生確率が最高度よりも１段階以上低くければ、そのＡＳＩＬレベルは、それに応じて１段階以上低くされることになる。したがって、この例において、ＡＳＩＬレベルは、発生頻度がＥ３の場合は、Ｃとされ、発生頻度がＥ１の場合は、さらにＡとされることになる。
【０００７】
実際には、アシスト機能および安全機能は、一般に、それらの入力データのうちの、車両の長軸方向の瞬間速度の推定値を使用する。
【０００８】
しかし、車両の長軸方向の加速または長軸方向の減速（制動（ｂｒａｋｉｎｇ））のいわゆる「ダイナミック」段階（ｐｈａｓｅｓ）時に、車両の速度は、場合によっては、一時的に過大推定（ｏｖｅｒｅｓｔｉｍａｔｅ）または過小推定（ｕｎｄｅｒｅｓｔｉｍａｔｅ）され得る。
【０００９】
特に、このようになり得るのは、車両の速度が車輪の測定平均回転速度から推定される場合であり、したがって、その推定は、いくつかの車輪が、急な加速または急な制動段階中に、ブロックされるか、または反対に、すべって（ｓｋｉｄ）、制御がきかない（ｒｕｎ  ａｗａｙ）場合に、間違い（偽）となり得る。
【００１０】
例として、アクセルペダルに強い圧力をかけると、駆動輪の接着が失われて、駆動輪がすべり始め、したがってその車輪の回転速度が非常に上昇するが、車両の実際の速度は著しくは上昇しない。このとき、車両の実際の速度は、車輪の回転速度から推定される車両の速度よりもかなり低いことになる。
【００１１】
反対に、車輪が、緊急にブレーキをかけた状況において、強く減速するか、またはブロックされて、接着を失う場合、車両は、その車輪の回転速度から推定される車両の速度よりもかなり高い実際の速度で路面上をスリップし得る。
【００１２】
明らかに、車両の速度を過大推定することは、安全機能にとっては好都合であり得る。というのも、車両の速度を過大推定することによって、安全機能は、車両をより厳格に制御でき、特に、より応答性の良いステアリング補正を行うことや、ステアリング操作の振幅を制限することができるようになるからである。ステアリング補正やステアリング操作の振幅は、低速よりも高速においてより大きな危険をはらんでいる。
【００１３】
しかし、また、車両の速度の過大推定によって、従来の駆動アシストを低減するタイミングが不適切になり得るか、または他に、特に市街地において、車両が実際には低速で旋回中に、ステアリングホイールをターンの後で中央位置に戻す（「ストリートコーナーリターン（ｓｔｒｅｅｔ  ｃｏｒｎｅｒ  ｒｅｔｕｒｎ）」と呼ばれる機能）ためのパワーステアリングによって生成されるリターン動力（ｅｆｆｏｒｔ）を制限することになり得るので、そのようなアシストおよびステアリングホイールリターン機能の有用性を低減し得る。これにより、運転手がステアリングホイールおよびステアリングシステムにある種の重さを感じることになるという不都合が生じることになる。
【００１４】
反対に、車両の速度のランダムな過小推定は、ステアリングホイールの操作ではなく、アシストに都合がよいことになるが、信頼性および安全機能の応答性を損なわせ得るので、車両の乗員を危険にさらし得る。
【００１５】
ある解決手段は、ステアリングシステムの異なる機能のアシストの快適さおよび安全性の両方を良好なＡＳＩＬレベルで保証するために、異なる起源からの車両の速度の２つの異なる評価、すなわち、アシスト機能についての第１の評価、および安全機能についての、場合によっては意図的に過大推定される他方の評価を使用することからなり得る。
【００１６】
しかしながら、そのような解決手段には、冗長な装備、特にセンサーおよびプロセッシングユニットが必要となり得るが、それらは、ステアリングシステムのコストや大きさを増大させ得る。
【００１７】
さらに、主に、異なる速度信号を互いに関係なく使用すると、過大推定または過小推定エラーが２つの速度信号のうちの１つには影響を与えるが、他方には与えない場合に、アシストおよび安全機能のそれぞれに、「干渉（ｉｎｔｅｒｆｅｒｅｎｃｅｓ）」と呼ばれる矛盾した挙動が特に引き起こされ得る。
【発明の概要】
【発明が解決しようとする課題】
【００１８】
したがって、本発明の目的は、上記の欠点を克服し、瞬間速度情報、およびこの瞬間速度情報に依存するアシスト機能および安全機能の同時実行を、簡易かつ信頼性良く管理することを可能にする、パワーステアリングシステムを管理するための新規の方法を提案することである。
【課題を解決するための手段】
【００１９】
本発明の課題を解決する方法は、車両用パワーステアリングシステムを管理するための方法であって、上記パワーステアリングシステムは、車両の操縦において運転手をアシストすることを目的とする少なくとも１つのアシスト機能、および上記アシスト機能に、ＩＳＯ−２６２６２規格において定義される所定のＡＳＩＬレベルを与えることを目的とする少なくとも１つの安全機能を含む複数の機能を含み、上記アシスト機能および上記安全機能のそれぞれは、車両の速度を示す同じパラメータを使用し、車両の速度を示すパラメータは、車両の長軸方向の速度を表すとし、上記方法は、関数速度を推定するステップ（ａ）であって、ステップ（ａ）中に、注目する時点における車両の実際の長軸方向の速度を表す、「関数速度」と呼ばれる、第１速度値が推定され、関数速度は、「通常動作モード」と呼ばれる第１動作モードにおいて、デフォルトで、車両の速度を示すパラメータとして使用される、ステップ（ａ）と、速度上限を推定するステップ（ｂ）であって、ステップ（ｂ）中に、「速度上限」と呼ばれる第２速度値が推定され、第２速度値は、関数速度よりも高く、注目する時点における車両の実際の長軸方向の速度の上限を表す、ステップ（ｂ）と、過小推定速度を計算するステップ（ｃ）であって、ステップ（ｃ）中に、過小推定速度値を得るように、所定の低減則が速度上限に適用され、過小推定速度値は、速度上限よりも、低減則によって設定される所定の低減値だけ低い、ステップ（ｃ）と、比較ステップ（ｄ）であって、比較ステップ（ｄ）中に、関数速度値は、絶対値で、過小推定速度値と比較される、比較ステップ（ｄ）と、関数速度の絶対値が過小推定速度の絶対値よりも小さい場合に行われる、切り換えステップ（ｅ）であって、切り換えステップ（ｅ）中に、アシストおよび安全機能のそれぞれの入力において使用される車両の速度を示すパラメータとして、関数速度を過小推定速度に置き換えることによって、通常動作モードから「安全モード」と呼ばれる第２動作モードに切り換える、切り換えステップ（ｅ）とを包含することを特徴とする方法。
【００２０】
そのような方法は、アシスト機能の挙動を最適化し、運転の快適さを最適化するために、車両の速度を示すパラメータとして関数速度の使用を優先する（ｆａｖｏｒ）ことができるので有利である。関数速度は、通常条件下では、車両の実際の速度に非常に近い推定値を表す。ただし、関数速度の値は、安全機能の適切な動作を保証することにたいして許容可能なままである。
【００２１】
そうでない場合、すなわち、関数速度信号が許容閾値を下回り、したがって安全機能の適切な動作に不適合になった場合、上記方法は、代替信号、すなわち、過小推定速度信号を与える。過小推定速度信号は、速度上限から決定され、当然ながら、車両の実際の速度よりも高く、したがって上記安全機能に資する。
【００２２】
言い換えると、上記方法は、速度上限に対応する高い数値と過小推定速度に対応する低い数値との間にある「安全間隔」を、車両の実際の速度にかかわらず、常時、規定、そしてリアルタイム再計算し、安全機能の信頼性のある動作を保証するように、アシスト機能および安全機能の適用のために保持される車両の速度を示すパラメータが上記安全間隔内に永続的にあることを確実にすることを可能にする。
【００２３】
このように、安全機能の信頼性に影響を与えることなく、アシスト機能の正確性および快適さを優先するために、一般に車両の実際の瞬間速度の正確な推定値を与えるが、特に推定演算の複雑性のために本質的に保証が困難である、関数速度信号が安全間隔内にとどまる限り、上記関数速度信号は、車両の速度を示すパラメータとして使用される。
【００２４】
しかし、安全間隔によって境界づけられた許容領域を上記関数速度信号が外れる（底から）ような影響をエラーが上記関数速度信号に与える場合、この関数速度信号は、過小推定速度によって構成される安全信号によって置き換えられる。この安全信号は、安全機能の適用性の許容可能な下限に対応する。このように、安全機能のサービス連続性が確保される。
【００２５】
このように、本発明の方法は、安全機能の信頼性のある動作を体系的に保証しながら、注目する時点における状況に最も適切な車両の速度を示す信号を自動的に選択できるようにする。
【００２６】
さらに、アシスト機能および安全機能に共通の、ユニークで同じである過小推定速度情報（すなわち、ユニークな速度信号）を車両の速度を示すパラメータとして使用することによって、ステアリングシステムのハードウエアおよびソフトウエアの両構造を軽量化し、そのシステムのコストを低減することができるので有利である。
【００２７】
本発明の他の目的、特徴、および利点は、あくまで例示であり、限定を目的としない、以下の記載を読み、添付の図面を使用するとより詳細に明らかになることになる。
【図面の簡単な説明】
【００２８】
【図１】図１は、本発明による低減則を例示する図である。
【図２】図２は、パワーステアリングシステム内の、本発明による方法の動作原理を、ブロック図にしたがって、例示する図である。
【図３】図３は、上記方法によって使用される異なる速度信号が時間とともに漸進する様子を表すグラフによって、通常動作モードから安全モードへの瞬間切り換えを例示する図である。
【図４】図４は、上記方法によって使用される異なる速度信号が時間とともに漸進する様子を表すグラフによって、通常動作モードから安全モードへの遅延切り換えを例示する図である。
【図５Ａ】図５Ａは、上記方法によって使用される異なる速度信号が時間とともに漸進する様子を表すグラフによって、図３に係る第１瞬間切り換え後の、安全モードから強化安全モードへの切り換えの実装を例示する図である。
【図５Ｂ】図５Ｂは、上記方法によって使用される異なる速度信号が時間とともに漸進する様子を表すグラフによって、図４に係る第１遅延切り換え後の、安全モードから強化安全モードへの切り換えの実装を例示する図である。
【発明を実施するための形態】
【００２９】
本発明は、車両用パワーステアリングシステム１を管理するための方法に関する。
【００３０】
好ましくは、そのようなパワーステアリングシステム１は、それ自体が公知のやり方で、ステアリングホイールを備える。ステアリングホイールは、車両の運転手によって操作されることを目的とし、好ましくはピニオンを備えるステアリングコラムによって、１つ以上のステアード（ｓｔｅｅｒｅｄ）車輪２の向きを変更することを可能にするステアリング機構の変位を制御する。
【００３１】
好ましくは、上記ステアリング機構は、ラックを備える。ラックは、車両のフレームに締め付けられたステアリングケーシング内で平行移動可能に取り付けられる。ピニオンは、ラックにかみ合う。ラックの端部にステアリングタイロッドが締め付けられる。ステアリングタイロッドは、車輪２を支えるステアリングナックルのヨー方向、すなわち、ステアリング角度を変更可能にする。
【００３２】
また、ステアリング機構には、好ましくは電動であるアシストモータが接続され、アシスト動力（ｅｆｆｏｒｔ）、典型的にはアシストトルク、が供給される。アシスト動力は、上記ステアリング機構の操作を容易にするので、ステアリング角度の変更を容易にする。
【００３３】
さらに、パワーステアリングシステム１は、複数の機能Ｆ１、Ｆ２を含む。これらは、車両の操縦において運転手をアシストすることを目的とする少なくとも１つのアシスト機能Ｆ１、および上記アシスト機能に、ＩＳＯ−２６２６２規格において定義される所定のＡＳＩＬレベルを与えることを目的とする少なくとも１つの安全機能Ｆ２を含む。
【００３４】
好ましくは、アシスト機能Ｆ１は、以下から選択される。
【００３５】
・手動操縦アシスト機能。これは、ステアリング機構および／またはステアリングホイールの変位を容易にするためのアシスト動力を、アシストモータによって、供給することを目的とする。特に、上記手動操縦アシスト機能は、運転手がステアリングホイールを回すことを手伝うために、運転手によって供給される手動動力を増幅することを可能にするアシスト動力を提供することを目的とする従来のアシスト機能、または他に、ターン後に、直線軌道に対応する中央位置にステアリングホイールを戻すことを目的とするリターン機能であり得る。
【００３６】
・自動操縦機能。車線維持機能、自動障害物回避機能、または駐車アシスト機能などの、車両の軌道の自動サーボ制御を実行する。
【００３７】
例えば、安全機能Ｆ２は、アシスト機能Ｆ１と異なり、車両の長軸方向の速度が上昇するか、および／または特定の閾値を超える場合に、アシスト機能Ｆ１によって決定されるアシスト動力の強度を抑制し、および、特に車両が高速度（典型的には、５０ｋｍ／ｈ、９０ｋｍ／ｈ、または１２０ｋｍ／ｈを超える速度）で旋回する場合に、そのような速度での車両の逸脱を起こす可能性のあり得るステアリングの急な動きがアシスト機能Ｆ１によって起こされることを回避するように設計され得る。
【００３８】
好ましくは、安全機能Ｆ２は、ＩＳＯ−２６２６２規格において定義される、少なくともＢに等しい、好ましくは少なくともＣに等しい、さらにはＤに等しいＡＳＩＬレベルを保証する。
【００３９】
このように、ＡＳＩＬ安全性の欠如を禁止する、すなわち、「安全管理（Ｑｕａｌｉｔｙ  Ｍａｎａｇｅｍｅｎｔ）」レベルを排除し、より高いＡＳＩＬレベルを課すＩＳＯ−２６２６２規格を実施することによって課されるさらにより厳しい要求を満足できる。
【００４０】
図２に示すように、アシスト機能Ｆ１および安全機能Ｆ２のそれぞれは、車両の速度を示す同じパラメータＶ＿ｐａｒａｍを使用する。パラメータＶ＿ｐａｒａｍは、車両の長軸方向の速度を表すとする。
【００４１】
言い換えると、上記機能Ｆ１、Ｆ２のそれぞれは、それ自体の実行のために、車両の長軸方向の速度を表す速度情報を知る必要がある。ここで、上記速度情報は、「速度指示パラメータ（ｓｐｅｅｄ  ｉｎｄｉｃａｔｉｎｇ  ｐａｒａｍｅｔｅｒ）」Ｖ＿ｐａｒａｍと呼ばれる信号の形態で、上記機能Ｆ１、Ｆ２のそれぞれの入力に供給される。
【００４２】
したがって、本発明によると、上記方法は、関数速度を推定するステップ（ａ）を包含する。ステップ（ａ）中に、注目する時点における車両の実際の長軸方向の速度を表す、「関数速度」Ｖ＿ｆｕｎｃと呼ばれる、第１速度値が推定される。
【００４３】
この関数速度Ｖ＿ｆｕｎｃは、「通常動作モード（ｎｏｒｍａｌ  ｏｐｅｒａｔｉｎｇ  ｍｏｄｅ）」と呼ばれる第１動作モードにおいて、デフォルトで、車両の速度を示すパラメータＶ＿ｐａｒａｍとして使用される。
【００４４】
実際には、この関数速度Ｖ＿ｆｕｎｃは、通常動作において、＋／−１０％、さらには＋／−５％、の範囲で車両の実際の速度に等しいことになる、すなわち、非常に良好な正確性を有することになる。通常動作とは、車輪がすべらず、かつ上記関数速度Ｖ＿ｆｕｎｃの推定を担うセンサーや計算機のいずれのハードウエアの故障もないことである。
【００４５】
したがって、この関数速度信号Ｖ＿ｆｕｎｃは、アシスト機能Ｆ１の適用に対して理想的であることになる。
【００４６】
しかし、関数速度信号Ｖ＿ｆｕｎｃは、車両または上記信号の計算機に影響を与える外乱または不全の影響を比較的受けやすい可能性があり、その（保証される）ＡＳＩＬレベルは、低い可能性がある。
【００４７】
特に、この関数速度Ｖ＿ｆｕｎｃは、若干過小推定される傾向にあり得る。これは、安全機能Ｆ２に対して許容できない場合がある。
【００４８】
可能な実装によると、関数速度情報Ｖ＿ｆｕｎｃは、サードパーティのシステムから発せられ得る。サードパーティのシステムは、車両に組み込まれるが、パワーステアリングシステム１とは異なり、例えば、電子安定性プログラム（Ｅｌｅｃｔｒｏｎｉｃ  Ｓｔａｂｉｌｉｔｙ  Ｐｒｏｇｒａｍ）またはアンチブロッキングシステム（ＡｎｔｉＢｌｏｃｋｉｎｇ  Ｓｙｓｔｅｍ）である。このとき、関数速度Ｖ＿ｆｕｎｃは、ＣＡＮ（「コントローラエリアネットワーク（Ｃｏｎｔｒｏｌｌｅｒ  Ａｒｅａ  Ｎｅｔｗｏｒｋ）」）またはＦｌｅｘＲａｙ（コンピュータバス）タイプの基板上のネットワーク２０上で利用可能な情報の一部であることになり、ステップ（ａ）中に、パワーステアリングシステム１によって取り出され得る。
【００４９】
別の可能な実装によると、関数速度Ｖ＿ｆｕｎｃの推定は、例えば、図２に例示するように、車両の１つ以上の車輪２の回転速度Ｖ＿ｒｏｕｅの測定値から、パワーステアリングシステム１自体によって行われ得る。
【００５０】
例えば、関数速度Ｖ＿ｆｕｎｃとして、車両の車輪２の回転速度の平均、典型的には２つの車輪２または４つの車輪２の回転速度の平均、を特に上記車輪（タイヤを含む）の直径を考慮することによって線速度に変換したものを考えることができる。
【００５１】
より詳細には、特に加速または制動により起こり得る駆動車輪の接着喪失に関連する推定エラーを制限するために、上記車両の被駆動車輪（車両が全輪トランスミッションで動作していない場合）の回転速度の平均を考えることができる。
【００５２】
あるいは、もちろん、駆動車輪および／または被駆動車輪にかかわらず、車両の全ての車輪の回転速度の平均を考えることができる。
【００５３】
本発明によると、上記方法はまた、速度上限を推定するステップ（ｂ）を包含する。ステップ（ｂ）中に、「速度上限（ｓｐｅｅｄ  ｕｐｐｅｒ  ｌｉｍｉｔ）」Ｖ＿ｕｐｐｅｒと呼ばれる第２速度値が推定される。第２速度値は、関数速度Ｖ＿ｆｕｎｃと異なり、それよりも高く、上記注目する時点における車両の実際の長軸方向の速度の上限を表す。
【００５４】
この速度上限Ｖ＿ｕｐｐｅｒは、速度の上方境界、すなわち、注目する時点における車両の実際の長軸方向の速度の値よりも低くなることができないことが既知である長軸方向の速度値、を表す。
【００５５】
言い換えると、速度上限Ｖ＿ｕｐｐｅｒは、車両のサービス状況を考慮し、物理的に、注目する時点において、車両の実際の長軸方向の速度が上記推定された速度上限Ｖ＿ｕｐｐｅｒに最大でも等しいか、それよりも低い可能性があることを確実にするように評価されるので、車両がこの速度上限値Ｖ＿ｕｐｐｅｒよりも実際に速く走行することは不可能である。
【００５６】
参考として、速度上限Ｖ＿ｕｐｐｅｒは、好ましくは、車両の実際の長軸方向の速度よりも０〜３０ｋｍ／ｈの値だけ高くなる（絶対値において）ことになる。
【００５７】
さらに、速度上限信号Ｖ＿ｕｐｐｅｒは、関数速度信号Ｖ＿ｆｕｎｃよりも高いＡＳＩＬレベルを有することになるので、本質的に「安全（ｓａｆｅ）」であることになる。
【００５８】
関数速度情報Ｖ＿ｆｕｎｃと同様に、速度上限情報Ｖ＿ｕｐｐｅｒは、ＥＳＰまたはＡＢＳなどのサードパーティ組み込みシステムから発せられ、基板上のネットワーク２０上において取り出され得るか、またはパワーステアリングシステム１自体によって決定され得る。
【００５９】
この点において、例えば、速度上限Ｖ＿ｕｐｐｅｒを、車両の駆動車輪２の回転速度のそれぞれの組のうちで観察される最大回転速度Ｖ＿ｒｏｕｅから評価することができる。
【００６０】
したがって、車両の実際の瞬間速度の「高い（ｈｉｇｈ）」推定値、さらには過大推定値、が好適であり、過小推定され過ぎて安全機能Ｆ２の実行を間違い（偽）とし得る値を速度指示パラメータＶ＿ｐａｒａｍとして使用する危険を排除することになる速度上限Ｖ＿ｕｐｐｅｒを有することを目的とする。
【００６１】
なお、この点において、最高速で回転する車輪２の最大回転速度Ｖ＿ｒｏｕｅを考慮し、そして車輪の上記最大回転速度に基づいた速度上限Ｖ＿ｕｐｐｅｒの推定値に基づくことによって、そのような上限が実際に決定されることを確実にすることが可能となる。
【００６２】
その後に、上記方法は、過小推定速度を計算するステップ（ｃ）を包含する。ステップ（ｃ）中に、過小推定速度値Ｖ＿ｕｎｄｅｒを得るように、所定の低減則ＬＲが速度上限Ｖ＿ｕｐｐｅｒに適用される。過小推定速度値Ｖ＿ｕｎｄｅｒは、速度上限Ｖ＿ｕｐｐｅｒよりも、上記低減則ＬＲによって設定される所定の低減値Ｖ＿ｒｅｄｕｃだけ低い。
【００６３】
【数１】
2020533237.tif 000003
【００６４】
なお、車両の速度の「低減（ｒｅｄｕｃｔｉｏｎ）」または「過小推定（ｕｎｄｅｒｅｓｔｉｍａｔｉｏｎ）」の概念は、初期に推定された速度上限Ｖ＿ｕｐｐｅｒを、絶対値において、低減して、上記速度上限Ｖ＿ｕｎｄｅｒよりも、絶対値において、ゼロに近い（ゼロ速度に近い）過小推定速度Ｖ＿ｕｎｄｅｒを得ることからなる。
【００６５】
下記のように、そして図３および４に例示するように、低減値Ｖ＿ｕｎｄｅｒは、速度上限Ｖ＿ｕｐｐｅｒに対して、「安全間隔（ｓａｆｅｔｙ  ｉｎｔｅｒｖａｌ）」ＳＴの幅を規定するように選択される。「安全間隔」ＳＴの幅の範囲は、速度上限Ｖ＿ｕｐｐｅｒに対応する高い値と過小推定速度Ｖ＿ｕｎｄｅｒに対応する低い値との間である。ここで、上記過小推定速度は、安全機能Ｆ２の適切な動作を保証するための許容最小値に対応する。
【００６６】
低減則ＬＲを適用することにより得られる低減値（過小推定値）Ｖ＿ｒｅｄｕｃは、運転手に対して不快の要因とならないように、アシスト機能Ｆ１の適切な実行を可能に、さらにはそれを優先する（ｆａｖｏｒ）のに十分であり、そうでありながら、車両の速度を示すパラメータＶ＿ｐａｒａｍとして使用される速度推定値を低減しすぎず、したがって安全機能Ｆ２の信頼性のある実行を損なわず、そしてしたがって、上記安全機能Ｆ２およびパワーステアリングシステム１が所望のＡＳＩＬレベルで動作することを保証する程度に十分に小さいので有利である。
【００６７】
このように、アシストＦ１機能および安全Ｆ２機能の適用のために保持される、車両の速度を示すパラメータＶ＿ｐａｒａｍが取る値が上記安全間隔ＳＴ内にあることになる限り、両タイプの機能の許容可能な動作、特に安全機能Ｆ２の許容可能な動作、が保証されることになる。
【００６８】
その後に、上記方法は、比較ステップ（ｄ）を包含する。比較ステップ（ｄ）中に、関数速度値Ｖ＿ｆｕｎｃは、絶対値で、過小推定速度値Ｖ＿ｕｎｄｅｒと比較され、関数速度の絶対値｜Ｖ＿ｆｕｎｃ｜が過小推定速度の絶対値｜Ｖ＿ｕｎｄｅｒ｜よりも小さいならば、上記方法は、切り換えステップ（ｅ）を行う。切り換えステップ（ｅ）中に、アシストＦ１機能および安全Ｆ２機能のそれぞれの入力において使用される車両の速度を示すパラメータＶ＿ｐａｒａｍとして、関数速度Ｖ＿ｆｕｎｃを過小推定速度Ｖ＿ｕｎｄｅｒに置き換えることによって、通常動作モードから、「安全モード（ｓａｆｅｔｙ  ｍｏｄｅ）」と呼ばれる第２動作モードに切り換える。
【００６９】
この補正切り換えによって、上記関数速度値が、絶対値で、過小推定速度Ｖ＿ｕｎｄｅｒ以上である限り、すなわち、上記関数速度値が安全機能Ｆ２に対して許容可能な安全間隔ＳＴ内に維持される限り、関数速度値Ｖ＿ｆｕｎｃを車両の速度を示すパラメータＶ＿ｐａｒａｍに選択的に割り当てることが可能である場合があり、また、関数速度の値が上記許容可能な下限Ｖ＿ｕｎｄｅｒよりも低い場合は、過小推定速度値、すなわち、安全間隔ＳＴの許容可能な下限値を車両の速度を示すパラメータＶ＿ｐａｒａｍに選択的に割り当てることが可能である場合がある。
【００７０】
このように、車両の速度を示すパラメータＶ＿ｐａｒａｍは、永続して（または、ほとんど永続して）、安全間隔の低い下限Ｖ＿ｕｎｄｅｒよりも上に維持され、これにより、安全機能Ｆ２の適切な動作が保証される。
【００７１】
さらに、切り換えが割り込む（ｉｎｔｅｒｖｅｎｅ）のは、関数速度Ｖ＿ｆｕｎｃが低すぎて、過小推定速度Ｖ＿ｕｎｄｅｒによって設定された下限を下回る場合のみ、すなわち、推定エラーまたは不全が生じた場合のみである。これは、エラーまたは不全がない場合は、速度上限Ｖ＿ｕｐｐｅｒおよび／または過小推定速度Ｖ＿ｕｎｄｅｒよりも正確でより実際に近い、車両の実際の長軸方向の速度の推定を与える関数速度信号Ｖ＿ｆｕｎｃが好ましく、そして、通常動作において、アシスト機能Ｆ１の信頼性および快適さを優先するようにするためである。
【００７２】
デフォルトの場合、すなわち、関数速度Ｖ＿ｆｕｎｃが安全間隔ＳＴ内にある場合、または、関数速度Ｖ＿ｆｕｎｃが安全間隔ＳＴに戻る場合は、それぞれ、通常動作モードを維持するか、または、それに再度切り換える（ｔｏｇｇｌｅ）。
【００７３】
もちろん、上記方法はまた、共通使用ステップを包含する。共通使用ステップ中は、関数速度Ｖ＿ｆｕｎｃまたは過小推定速度値Ｖ＿ｕｎｄｅｒのいずれかに等しい、車両の速度を示す同じパラメータＶ＿ｐａｒａｍが上記アシストＦ１機能および安全Ｆ２機能のそれぞれの入力として使用される。
【００７４】
好ましくは、低減則ＬＲは、テストおよび／またはシミュレーションを介して予め設定される。テストおよび／またはシミュレーション中に、車両の所与のゼロでない実際の長軸方向の速度において、速度指示パラメータの低閾値Ｖ＿ｐａｒａｍ＿ｔｈｒｅｓｈ＿ｌｏｗを特定するまで、アシスト機能Ｆ１および安全機能Ｆ２によって考慮される、車両の速度を示すパラメータＶ＿ｐａｒａｍを、絶対値において、漸進的にかつ人為的に低下させ、そして安全機能Ｆ２および／または車両の対応する反応を観察する。速度指示パラメータの低閾値Ｖ＿ｐａｒａｍ＿ｔｈｒｅｓｈ＿ｌｏｗから、安全機能Ｆ２が所与の実際の長軸方向の速度において所望のＡＳＩＬレベルに準拠する安全を確保することがもはやできないことがわかり、このとき、この速度指示パラメータの低閾値Ｖ＿ｐａｒａｍ＿ｔｈｒｅｓｈ＿ｌｏｗから、低減則ＬＲに対して保持される低減値Ｖ＿ｒｅｄｕｃが設定される。
【００７５】
より詳細には、低減値Ｖ＿ｒｅｄｕｃは、「許容可能な最大低減値（ａｃｃｅｐｔａｂｌｅ  ｍａｘｉｍｕｍ  ｒｅｄｕｃｔｉｏｎ  ｖａｌｕｅ）」Ｖ＿ｒｅｄｕｃ＿ｍａｘと呼ばれる差異から決定できる。「許容可能な最大低減値」Ｖ＿ｒｅｄｕｃ＿ｍａｘは、一方の、速度指示パラメータの低閾値Ｖ＿ｐａｒａｍ＿ｔｈｒｅｓｈ＿ｌｏｗに達した時の関数速度Ｖ＿ｆｕｎｃ、またはより好ましくは、速度上限Ｖ＿ｕｐｐｅｒと、他方の、上記速度指示パラメータの低閾値Ｖ＿ｐａｒａｍ＿ｔｈｒｅｓｈ＿ｌｏｗとの差異である。すなわち、
【００７６】
【数２】
2020533237.tif 000004
【００７７】
ここで、
【００７８】
【数３】
2020533237.tif 000005
【００７９】
または、場合によっては、ここで、
【００８０】
【数４】
2020533237.tif 000006
【００８１】
なお、実際には、関数速度値Ｖ＿ｆｕｎｃを信頼できる、安定化された条件下で、低減則ＬＲを決定することを目的とする試験を行うことができる。したがって、上記の一つ目の式を問題なく使用できる。
【００８２】
【数５】
2020533237.tif 000007
【００８３】
そうであるので、安定化された条件下で、関数速度値Ｖ＿ｆｕｎｃは、一般に速度上限Ｖ＿ｕｐｐｅｒに非常に近いので、両方の方法（上記の２つの式のそれぞれに対応する）は、第１近似において、実質的に同一の結果を与える。
【００８４】
その後、以下を選択できる。
【００８５】
【数６】
2020533237.tif 000008
【００８６】
または、好ましくは、追加の安全マージンを維持するために、低減値Ｖ＿ｒｅｄｕｃを許容可能な最大低減値Ｖ＿ｒｅｄｕｃ＿ｍａｘの数分の１（ｆｒａｃｔｉｏｎ）として規定できる。例えば、
【００８７】
【数７】
2020533237.tif 000009
【００８８】
さらにより好ましくは、上記何分の１にするかは、許容可能な最大低減値Ｖ＿ｒｅｄｕｃ＿ｍａｘの７０〜９０％（絶対値）である。
【００８９】
【数８】
2020533237.tif 000010
【００９０】
言い換えると、低減則ＬＲは、例えば安全機能を無効化するか、または危険事象（危惧される事象）を適時に補償できないようにして、安全機能Ｆ２の不全を生じさせる、速度指示パラメータの低閾値Ｖ＿ｐａｒａｍ＿ｔｈｒｅｓｈ＿ｌｏｗに到達するまで、関数速度Ｖ＿ｆｕｎｃの推定において大きくなる欠陥をシミュレーションするために、パワーステアリングシステム１、より一般には車両を、所与の実際の速度、したがって所与の速度上限Ｖ＿ｕｐｐｅｒ、で動作させ、そして速度指示パラメータＶ＿ｐａｒａｍ（絶対値）の複数の低減する値を連続して試験すること、すなわち、速度指示パラメータＶ＿ｐａｒａｍを意図的に誤らせることによって実験により構築される。上記欠陥は、本発明に特有の補正切り換えがない場合には、上記関数速度Ｖ＿ｆｕｎｃ、したがって速度指示パラメータＶ＿ｐａｒａｍ、の過小推定がさらにより顕著になることを引き起こし得る。
【００９１】
このように、各実際の長軸方向の速度について、したがって、各対応の速度上限Ｖ＿ｕｐｐｅｒについて、許容可能な最大低減値Ｖ＿ｒｅｄｕｃ＿ｍａｘが特定される。上記許容可能な最大低減値Ｖ＿ｒｅｄｕｃ＿ｍａｘが上記速度上限Ｖ＿ｕｐｐｅｒから差し引かれて、安全機能Ｆ２によって使用される速度指示パラメータＶ＿ｐａｒａｍが計算される場合、上記引き起こされる欠陥は、安全機能Ｆ２が仕様によって要求されるＡＳＩＬレベルよりも低いＡＳＩＬレベルに「グレードダウン（ｄｏｗｎｇｒａｄｅｄ）」されるのに十分な程度に安全機能Ｆ２の性能をグレードダウンさせる。
【００９２】
したがって、速度指示パラメータの低閾値Ｖ＿ｐａｒａｍ＿ｔｈｒｅｓｈ＿ｌｏｗ、すなわち、安全機能Ｆ２の不全を起こす過小推定限度は、信頼できる安全を所望のＡＳＩＬレベルで保持するために、所与の速度上限Ｖ＿ｕｐｐｅｒにおいて、したがって、実際には、所与の実際の速度で動作する場合に、超えられるべきでない許容可能な最大低減値（絶対値）に、実験により、対応づけられる。
【００９３】
上記試験は、好ましくは車両の予測可能な全動作範囲、典型的には、０ｋｍ／ｈから少なくとも１３０ｋｍ／ｈ、１５０ｋｍ／ｈ、２００ｋｍ／ｈまたは２５０ｋｍ／ｈまで、を含むように、車両の実際の長軸方向の速度の複数の（増大する）値について、およびしたがって速度上限Ｖ＿ｕｐｐｅｒの複数の値について（複数の関数速度値Ｖ＿ｆｕｎｃについて）行われる。
【００９４】
上記速度範囲（ここでは、図１における０〜２５０ｋｍ／ｈ）内の各実際の速度値、またはより好ましくは、各速度上限値Ｖ＿ｕｐｐｅｒに、（許容可能な最大）低減値Ｖ＿ｒｅｄｕｃ、およびしたがって過小推定速度Ｖ＿ｕｎｄｅｒの許容可能な最小値（絶対値での最低許容値）を関連づけるデータ列の全体が低減則ＬＲを構成する。
【００９５】
したがって、速度指示パラメータＶ＿ｐａｒａｍは、安全機能Ｆ２対する危険なしに、一方の、速度上限Ｖ＿ｕｐｐｅｒに等しい上限値と、他方の、主に、過小推定速度Ｖ＿ｕｎｄｅｒに等しい、すなわち、速度上限Ｖ＿ｕｐｐｅｒ（注目する時点での値）から注目する時点に適用される低減値Ｖ＿ｒｅｄｕｃを引いた値に等しい下限値との間の規定範囲内にあることになる任意の値をとり得る。
【００９６】
絶対的には、一実施形態によると、瞬間実際の速度にかかわらず、およびしたがって速度上限Ｖ＿ｕｐｐｅｒの値にかかわらず、同じ一定の低減値Ｖ＿ｒｅｄｕｃを使用することを考えることができる。
【００９７】
特に、安全機能Ｆ２が速度過小推定の影響を比較的受けにくい旧世代パワーステアリングシステム１のうちでは、後付け部品として、そのような一定の低減値Ｖ＿ｒｅｄｕｃを使用できる。
【００９８】
例として、このとき、上記一定の低減値Ｖ＿ｒｅｄｕｃは、３０〜４０ｋｍ／ｈの範囲内で選択される一定値と等しくてもよい。
【００９９】
しかしながら、別の特定の好適な実施形態によると、低減則ＬＲは、推定された速度上限Ｖ＿ｕｐｐｅｒに応じて、低減値Ｖ＿ｒｅｄｕｃを調節する。
【０１００】
速度に応じて低減値Ｖ＿ｒｅｄｕｃを変更することにより、本発明による過小推定原理を特により細やかに使用できるので有利である。これにより、特に上記方法を新世代の安全機能Ｆ２に適用できる。新世代の安全機能Ｆ２は、より効率的であるが、旧世代の安全機能よりも速度過小推定欠陥に対して影響をより受けやすいので、より要求が厳しい。
【０１０１】
したがって、これにより、車両およびその乗員の安全は、向上される。
【０１０２】
さらにより好ましくは、図１に例示するように、低減則ＬＲは、一般に、速度上限Ｖ＿ｕｐｐｅｒが絶対値において増加する場合に低減値Ｖ＿ｒｅｄｕｃを絶対値において増加させるような増加関数である。
【０１０３】
このように、車両が低速度で走行する場合よりも車両が高速度で走行する場合の方が車両の速度をさらに過小推定することができる。言い換えると、高速度時に適用される過小推定値よりも低い過小推定値（低減値Ｖ＿ｒｅｄｕｃ）を低速度時に適用できる。
【０１０４】
なお、図１に示唆する低減値Ｖ＿ｒｅｄｕｃの漸進的なパターンは、多くの変形例の１つに過ぎない。漸進の仕方は、主に上記注目の安全機能Ｆ２の挙動に応じて規定される。
【０１０５】
図１の例において、安全機能Ｆ２の挙動は、駐車する場合（または、非常に低い速度の場合、典型的には１０ｋｍ／ｈ未満、さらには５ｋｍ／ｈ未満）と、走行を開始する場合（典型的には、５〜３０ｋｍ／ｈ）とで大きく異なり得る。駐車する場合は、上記安全機能Ｆ２は、比較的「ゆるく（ｌｏｏｓｅ）」、ほとんど拘束がない。走行を開始する場合は、上記安全機能Ｆ２は、より拘束的になり、したがって速度指示パラメータＶ＿ｐａｒａｍの変動に対して影響をより受けやすくなる。
【０１０６】
上記安全機能Ｆ２の低速度での挙動における大きなずれ（ｄｉｓｃｒｅｐａｎｃｉｅｓ）を回避するために、許容可能な低減値Ｖ＿ｒｅｄｕｃは、したがって、車両の速度がゼロ近くになると低減される。
【０１０７】
その後、典型的には３０〜１６０ｋｍ／ｈの場合、安全機能Ｆ２の挙動は、好ましくは、より漸進的に進む。このため、ほとんど一定の低減値Ｖ＿ｒｅｄｕｃを予期できる。
【０１０８】
非常に高い速度（１６０ｋｍ／ｈ超、さらには２００ｋｍ／ｈ超）の場合、安全機能Ｆ２の挙動、特に引金（ｔｒｉｇｇｅｒｉｎｇ）閾値は、好ましくは、もはやほとんど漸進しない。これのため、速度の非常に大きな過小推定、したがって比較的高い低減値Ｖ＿ｒｅｄｕｃ、を許容できる。
【０１０９】
このように、速度指示パラメータＶ＿ｐａｒａｍの可能な過小推定は、パワーステアリングシステム１による車両の実際の速度の検知を誤らせることがなく、したがって、車両の実際の速度に完全に適合される、アシスト機能Ｆ１および安全機能Ｆ２の両機能の実行は、保持される。
【０１１０】
低減値Ｖ＿ｒｅｄｕｃは、一方で、安全機能Ｆ２の不規則な挙動を回避するために、安全機能Ｆ２の感受性を適合させるように選択されることになるが、また、他方で、車両が低速度で旋回する際に車両の速度を示すパラメータＶ＿ｐａｒａｍが過小推定された値Ｖ＿ｕｎｄｅｒに切り換わる場合に、車両が都市部を低速度で旋回する際、特に車両が交差点や急カーブ（「市街曲がり角」）を有する車線を走行する際に特に有用である、いくつかのアシスト機能Ｆ１を停止または過度に抑制しないように選択されることになるので有利である。
【０１１１】
より詳細には、したがって、例えば、安全モードに切り換えたにもかかわらず、注目の実際の速度範囲、ここで好ましくは０〜５０ｋｍ／ｈ、の全体にわたって実質的にアクティブなままであり、したがって、車両が市街地で旋回し、市街地の曲がり角をターンするためにステアリングホイールを大きく操作する必要がある限り、結果としてアクティブなままである、ステアリングホイールを中央に戻すアシスト機能を保持できる。
【０１１２】
あくまで例示であり、非限定である実装によると、図１に例示するように、低減則ＬＲは、複数の領域を包含し得る。
【０１１３】
・第１低速度領域Ｄ１。第１低速度領域Ｄ１は、０ｋｍ／ｈと下限速度Ｖ１（２０〜５０ｋｍ／ｈであり、好ましくは３０ｋｍ／ｈに等しい）との間にある。このように、領域Ｄ１は、駐車場への進入や市街地で旋回する場合に対応する。上記第１領域Ｄ１において、低減則ＬＲは、好ましくは、速度上限Ｖ＿ｕｐｐｅｒが増加するにつれ適用可能な低減値Ｖ＿ｒｅｄｕｃを漸進的に増加させるように、連続して増加することになる。適用可能な低減値Ｖ＿ｒｅｄｕｃは、典型的には０ｋｍ／ｈと８〜１０ｋｍ／ｈ（下限速度Ｖ１に達した値）との間にあり得る。
【０１１４】
・第２中間速度領域Ｄ２。第２中間速度領域Ｄ２は、上記下限速度Ｖ１（図１における３０ｋｍ／ｈ）と速度上限Ｖ２（好ましくは、１３０〜１８０ｋｍ／ｈ、例えば図１では、１６０ｋｍ／ｈに等しい）との間にある。このように、上記第２領域Ｄ２は、典型的には、都市部の外および高速道路上での旋回に対応する。この第２領域Ｄ２において、低減値Ｖ＿ｒｅｄｕｃは、実質的に平坦なパターンをとることになり、したがって、好ましくは、一定または若干増加することになり、例えば、８〜１０ｋｍ／ｈと１５ｋｍ／ｈとの間にあるか、または１０ｋｍ／ｈに等しいことになる。
【０１１５】
・第３高速度領域Ｄ３。第３高速度領域Ｄ３、上記速度上限Ｖ２（図１における１６０ｋｍ／ｈ）と非常に高い速度上限Ｖ３（好ましくは１８０〜２５０ｋｍ／ｈ、例えば図１において、２００ｋｍ／ｈに等しい）との間にある。第３領域Ｄ３において、低減値Ｖ＿ｒｅｄｕｃは、好ましくは、第１領域Ｄ１よりもより顕著に増加し、２０ｋｍ／ｈまたは２５ｋｍ／ｈと４０ｋｍ／ｈとの間の値（例えば、ここでは、３０ｋｍ／ｈに等しい）に達する関数にしたがって、速度上限Ｖ＿ｕｐｐｅｒが増加するにつれ、連続的に増加する。
【０１１６】
・場合によっては、第４の非常に高い速度領域Ｄ４。第４速度領域Ｄ４は、上記非常に高い速度上限Ｖ３（図１における２００ｋｍ／ｈ）と車両の最大速度Ｖ４（例えば、２４０ｋｍ／ｈまたは２５０ｋｍ／ｈ）との間にある。第４速度領域Ｄ４において、過小推定は、好ましくは、一定または若干増加することになり、例えば、ここでは、３０ｋｍ／ｈに等しいことになる。
【０１１７】
もちろん、低減則ＬＲは、注目の安全機能Ｆ２の性質に応じて、非常に異なるパターンを採用し得る。
【０１１８】
好ましくは、低減則ＬＲは、図１に例示するように、各速度上限値Ｖ＿ｕｐｐｅｒに、低減値Ｖ＿ｒｅｄｕｃを関連づける所定のアバクス（ａｂａｃｕｓ）の形態で不揮発性メモリに記憶される。低減値Ｖ＿ｒｅｄｕｃは、図２に例示するように、後で、速度上限Ｖ＿ｕｐｐｅｒから減算され、過小推定速度Ｖ＿ｕｎｄｅｒを得る。
【０１１９】
最終的な目的においては同等な変形例によると、低減則ＬＲは、各速度上限値Ｖ＿ｕｐｐｅｒに、過小推定速度値Ｖ＿ｕｎｄｅｒをそのまま関連づける所定のアバクスの形態で不揮発性メモリに記憶され得る。過小推定速度値Ｖ＿ｕｎｄｅｒは、注目の速度上限Ｖ＿ｕｐｐｅｒに適用可能な低減値Ｖ＿ｒｅｄｕｃを（暗に）考慮する。
【０１２０】
好ましくは、速度上限を推定するステップ（ｂ）中に、繰り返しにおける現在の回ｎに対応する注目の時点ｔ＿ｎにおいて、速度上限Ｖ＿ｕｐｐｅｒ（ｔ＿ｎ）は、車両の車輪２の回転速度Ｖ＿ｒｏｕｅの測定値などの少なくとも１つの入力速度測定値Ｖ＿ｒｏｕｅから、より好ましくは車両のいくつかのまたは全ての車輪の速度のうちの最大回転速度から、評価される。このとき、それ自体が発明を構成し得る好適な特徴によると、上記速度上限Ｖ＿ｕｐｐｅｒ（ｔ＿ｎ）は、単位時間当たりの速度上限Ｖ＿ｕｐｐｅｒの対応する変化量を評価するために、繰り返しにおける前回ｎ−１（時刻ｔ＿ｎ−１）中に評価された速度上限Ｖ＿ｕｐｐｅｒ（ｔ＿ｎ−１）と比較される。繰り返しにおける現在の回の入力速度測定値Ｖ＿ｒｏｕｅ（ｔ＿ｎ）は、単位時間当たりの入力速度測定値の対応する変化量を評価するために、繰り返しにおける前回の入力速度測定値Ｖ＿ｒｏｕｅ（ｔ＿ｎ−１）と比較される。それぞれの、上記単位時間当たりの速度上限Ｖ＿ｕｐｐｅｒの変化量、および上記単位時間当たりの入力速度測定値の変化量は、Ｇｒａｄ（Ｖ）と表記される「観察された速度勾配（ｏｂｓｅｒｖｅｄ  ｓｐｅｅｄ  ｇｒａｄｉｅｎｔ）」と呼ばれる。
【０１２１】
その後、上記観察された速度勾配Ｇｒａｄ（Ｖ）は、車両の加速および制動試験を介して予め決定された、第１「尤もらしい（ｐｌａｕｓｉｂｌｅ）最大勾配」Ｇｒａｄ＿ｒｅｆ＿１と呼ばれる第１基準勾配と比較される。観察された速度勾配Ｇｒａｄ（Ｖ）が、絶対値において、上記第１の尤もらしい最大勾配Ｇｒａｄ＿ｒｅｆ＿１よりも高い場合、繰り返しにおける現在の回の速度上限Ｖ＿ｕｐｐｅｒ（ｔ＿ｎ）は、繰り返しにおける前回の速度上限Ｖ＿ｕｐｐｅｒ（ｔ＿ｎ−１）に、または、繰り返しにおける前回の入力速度測定値Ｖ＿ｒｏｕｅ（ｔ＿ｎ−１）に、観察された速度勾配Ｇｒａｄ（Ｖ）の代わりに、第１の尤もらしい最大勾配Ｇｒａｄ＿ｒｅｆ＿１を適用することにより、クリッピング（ｃｌｉｐｐｉｎｇ）により、補正される。
【０１２２】
言い換えると、
単位時間当たりの瞬間速度変化量は、以下のように計算される。
【０１２３】
【数９】
2020533237.tif 000011
【０１２４】
または、同様に、単位時間当たりの入力速度変化量は、
【０１２５】
【数１０】
2020533237.tif 000012
【０１２６】
その後、Ｇｒａｄ（Ｖ）は、Ｇｒａｄ＿ｒｅｆ＿１と比較される。
【０１２７】
具体的には、尤もらしい最大勾配Ｇｒａｄ＿ｒｅｆ＿１は、特に車両の推進を担うエンジンのパワー、ブレーキシステムの有効性、およびタイヤの接着性を考慮して、車両が物理的に達成し得る、最大加速度、または最大減速度を表す。
【０１２８】
これらの最大加速度および最大減速度性能は、加速試験および減速（例えば、緊急にブレーキをかけること）試験を車両に行うことを介して、実験により決定される。加速試験および減速試験中は、それぞれ加速／減速の状況において車両がその接着限界にまで押される、
必要に応じて、車両対して試験を行うことにより、同じ構成を有する同じモデルの全ての車両に適用可能であることになる、一般の尤もらしい最大勾配を設定できる。
【０１２９】
観察された速度勾配Ｇｒａｄ（Ｖ）が、絶対値において、尤もらしい速度最大勾配よりも大きい場合、すなわち、
【０１３０】
【数１１】
2020533237.tif 000013
【０１３１】
の場合、
これは、Ｇｒａｄ（Ｖ）と表される、車両の速度の測定された変化量、すなわち、車両の測定された加速度または測定された減速度が、それぞれ車両が与え得る最大加速度または最大制動度よりも大きいことを意味するが、もちろん、不可能である。
【０１３２】
したがって、結論としては、速度上限Ｖ＿ｕｐｐｅｒの推定値は、エラーであり、この場合、加速の場合は過大推定され、制動の場合は過小推定される。特に、このエラーが生じるのは、車輪が接着を喪失し、場合によっては、路面上をすべる（ｓｋｉｄｄｉｎｇ）ことによって強く加速されるか、またはブロックされて、路面をスリップ（ｓｌｉｐｐｉｎｇ）するまでブレーキをかける場合である。
【０１３３】
そのような状況で、次いで、繰り返しにおける現在の回ｎ中に推定される誤りのある速度上限Ｖ＿ｕｐｐｅｒ（ｔ＿ｎ）を、より尤もらしい、計算された速度上限Ｖ＿ｕｐｐｅｒによって置き換えるように、観察された勾配Ｇｒａｄ（Ｖ）を尤もらしい最大勾配Ｇｒａｄ＿ｒｅｆ＿１に置き換えることが決定される。このより尤もらしい、計算された速度上限Ｖ＿ｕｐｐｅｒは、より実際的なやり方で、車両の可能な実際の性能に対応し、繰り返しにおける前回ｎ−１中に測定され、信頼できると考えられる、前回の速度上限値Ｖ＿ｕｐｐｅｒ（ｔ＿ｎ−１）に、尤もらしい最大勾配Ｇｒａｄ＿ｒｅｆ＿１に２回の繰り返しの間の経過時間を乗算したものを足し合わせることによって得られる。
【０１３４】
【数１２】
2020533237.tif 000014
【０１３５】
言い換えると、繰り返しにおける現在の回ｔ＿ｎ中に推定された（または基板上のＣＡＮネットワークを介して取得された）速度上限Ｖ＿ｕｐｐｅｒが現実的でない場合、車両の性能との適合性がないので、瞬間速度、およびしたがって、速度上限Ｖ＿ｕｐｐｅｒは、それぞれ繰り返しにおける前回中に評価された瞬間速度および速度上限Ｖ＿ｕｐｐｅｒに対して、最大で、それぞれ車両の最大加速能力および最大減速能力によって規定される値に等しい値だけ変化したと、任意に考えられる。
【０１３６】
このように、上記方法を適用するための、より詳細には過小推定速度Ｖ＿ｕｎｄｅｒの計算（ｃ）ステップ、および比較（ｄ）ステップ、ならびに次いで、必要に応じて、切り換え（ｅ）ステップを実装するための注目の速度上限Ｖ＿ｕｐｐｅｒは、上記速度上限Ｖ＿ｕｐｐｅｒの推定値が可能な最大勾配Ｇｒａｄ＿ｒｅｆ＿１によって設定される変化量の限度内である場合に、上記速度上限Ｖ＿ｕｐｐｅｒの推定値をそのまま使用するか、または、そうでなければ、尤もらしい最大勾配Ｇｒａｄ＿ｒｅｆ＿１によって設定された変化量の限度内に上記速度上限Ｖ＿ｕｐｐｅｒを再計算するかのいずれかによって、車両の物理的能力との常なる整合が維持され、上記速度上限Ｖ＿ｕｐｐｅｒが上記限度内に収められ、したがって車両の有効な能力と整合される。
【０１３７】
実際に、クリッピングは、尤もらしい最大勾配Ｇｒａｄ＿ｒｅｆ＿１に対応する飽和値ＳＡＴ＋、ＳＡＴ−を有する（第１の）勾配リミッタ３を適用すること相当する。
【０１３８】
そのような勾配リミッタ３は、尤もらしい最大勾配Ｇｒａｄ＿ｒｅｆ＿１以下、すなわち、ゼロ値と上記尤もらしい最大勾配によって規定される飽和値ＳＡＴ＋、ＳＡＴ−（クリッピング値）との間の範囲にあって、したがって車両の有効な加速／減速能力に従う速度上限Ｖ＿ｕｐｐｅｒのいかなる変化量も、変更することなく、通すことになる。
【０１３９】
しかし、この勾配リミッタ３は、上記尤もらしい最大勾配Ｇｒａｄ＿ｒｅｆ＿１を超える、すなわち、絶対値において、対応する飽和値ＳＡＴ＋、ＳＡＴ−の絶対値を超える速度上限Ｖ＿ｕｐｐｅｒのいかなる変化量も、上記尤もらしい最大勾配値、すなわち飽和値ＳＡＴ＋、ＳＡＴ−にする（飽和させる）ことによって自動的に制限することになる。
【０１４０】
なお、勾配リミッタ３は、絶対値において減速（制動）飽和値ＳＡＴ−と異なる加速飽和値ＳＡＴ＋を含み得る、すなわち、加速状況（速度の変化量が正、したがって速度上限の変化量が正）であるか、または減速状況（速度の変化量が負、したがって速度上限の変化量が負）であるかについて対称とならない飽和を操作するので有利である。
【０１４１】
特に、そのような差異をつけることによって、物理的に、車両は、特に緊急にブレーキをかける状況において、一般に、加速し得るときよりも強力に減速し得るという事実を考慮できることになる。
【０１４２】
好ましくは、このように、（第１の）尤もらしい最大勾配Ｇｒａｄ＿ｒｅｆ＿１およびしたがって勾配リミッタ３は、絶対値において減速飽和値ＳＡＴ−よりも小さい加速飽和値ＳＡＴ＋を設定し得る、すなわち、｜ＳＡＴ＋｜＜｜ＳＡＴ−｜となるように設定し得る。
【０１４３】
例として、加速飽和値を＋１０ｋｍ／ｈ／秒の範囲に規定し、減速飽和値ＳＡＴ−を−３６ｋｍ／ｈ／秒の範囲に規定することができる。
【０１４４】
従来は、ここで、正および負符号は、それぞれ加速度および減速度に対応する。
【０１４５】
勾配リミッタ３によって操作される速度勾配のこの飽和により、例えば接着が喪失した後の車輪２の暴走（ｒｕｎａｗａｙ）またはブロック中の場合のように、車両の長軸方向の速度を推定する方法、より詳細には速度上限を推定する方法に欠陥があるか、またはそれが適用不可である場合に、速度上限Ｖ＿ｕｐｐｅｒを推定に大誤差（ｇｒｏｓｓ  ｅｒｒｏｒ）を生じることを回避できるので有利である。
【０１４６】
また、なお、図２に例示するように、第１勾配リミッタ３によって操作される飽和は、同様に、上流で、入力側（ｓｏｕｒｃｅ）で、すなわち、入力速度測定値信号（ここでは、この信号は、車輪のそれぞれの回転速度を表す）Ｖ＿ｒｏｕｅに対して、または下流で、これら入力速度測定値信号Ｖ＿ｒｏｕｅから行われる速度計算から得られる速度上限Ｖ＿ｕｐｐｅｒ＿ｂａｓｉｃの「未処理（ｒａｗ）」推定値の結果に対してのいずれかに、異なるやり方で関与（ｉｎｔｅｒｖｅｎｅ）し得る。
【０１４７】
あるいは、第１勾配リミッタ３によって操作される飽和は、下流で、基板上のネットワーク２０において利用可能な瞬間速度信号の回収から得られる速度上限Ｖ＿ｕｐｐｅｒの推定値に関与し得る。
【０１４８】
本発明の可能な実装によると、切り換えステップ（ｅ）は、関数速度Ｖ＿ｆｕｎｃが、絶対値において、過小推定速度Ｖ＿ｕｎｄｅｒよりも小さくなったと検出されるとすぐに、速度指示パラメータＶ＿ｐａｒａｍを関数速度Ｖ＿ｆｕｎｃから過小推定速度Ｖ＿ｕｎｄｅｒに即時に移行させることによって、通常動作モードから安全モードへの即時切り換えを操作し得る。
【０１４９】
図によると、これは、図３および５Ａに例示するように、関数速度Ｖ＿ｆｕｎｃおよび過小推定速度Ｖ＿ｕｎｄｅｒのそれぞれの曲線の交点における切り換えを実施することに相当する。
【０１５０】
そのような瞬間的な切り換えは、安全機能Ｆ２についての許容可能な制限にしたがうことを常に可能にするので有利である。なぜなら、それから得られる指示パラメータＶ＿ｐａｒａｍは、過小推定速度Ｖ＿ｕｎｄｅｒよりも低くなることはなく、しかしながら、関数速度Ｖ＿ｆｕｎｃに近いままの場合、許容可能な安全限度内で、アシスト機能Ｆ１について好都合であるからである。
【０１５１】
したがって、この即時切り換えという解決手段は、アシストＦ１機能および安全Ｆ２機能についての良いトレードオフを表し得る。
【０１５２】
図４および５Ｂに例示する別の可能な実装によると、切り換えステップ（ｅ）は、所定の許容閾値Ｔ＿ｔｈｒｅｓｈ＿１に達するかまたはそれを超える、「欠陥期間（ｄｅｆｅｃｔ  ｄｕｒａｔｉｏｎ）」と呼ばれる、ゼロでない期間において、関数速度Ｖ＿ｆｕｎｃが、絶対値において、過小推定速度Ｖ＿ｕｎｄｅｒよりも（連続して）小さいままである場合にのみ、速度指示パラメータＶ＿ｐａｒａｍを関数速度Ｖ＿ｆｕｎｃから過小推定速度Ｖ＿ｕｎｄｅｒに移行させることによる通常動作モードから安全モードへの遅延切り換えを操作し得る。
【０１５３】
言い換えると、このように、上記関数速度Ｖ＿ｆｕｎｃは、一時的に過小推定速度Ｖ＿ｕｎｄｅｒを下回ってしまうが、期間Ｔ＿ｔｈｒｅｓｈ＿１の間、速度指示パラメータＶ＿ｐａｒａｍが一時的に関数速度Ｖ＿ｆｕｎｃをたどるようにできる。
【０１５４】
許容閾値Ｔ＿ｔｈｒｅｓｈ＿１によって、切り換えの開始（ｔｒｉｇｇｅｒｉｎｇ）を遅らせること、したがって、持久性のある顕著な欠陥の場合のみ、すなわち、速度指示パラメータＶ＿ｐａｒａｍを調節することが実際に適切である場合のみに切り換えを行うことを可能にできるので有利である。
【０１５５】
このように、ノイズまたは偽測定値による評価移行エラーから、場合によっては、生じ得る、速度上限Ｖ＿ｕｐｐｅｒの非常に短く、顕著でない変動に不必要に反応することを回避する。
【０１５６】
さらに、車両の安全を損なわない一時的な欠陥が生じた場合に、即時に安全モードを開始させることなく、通常動作モードを一時的に保持することによって、アシスト機能Ｆ１、したがって、運転の快適さを優先することができるので有利である。
【０１５７】
欠陥期間は、適切なタイミングで監視されることになり、欠陥が適切な許容閾値Ｔ＿ｔｈｒｅｓｈ＿１を超える時間にわたって持続する場合に安全モードをアクティブにすることができるように、関数速度Ｖ＿ｆｕｎｃが過小推定速度Ｖ＿ｕｎｄｅｒを下回ったことが検出された際に開始される。
【０１５８】
上記タイミングは、関数速度Ｖ＿ｆｕｎｃが過小推定速度Ｖ＿ｕｎｄｅｒ以上の値に戻れば、ゼロにリセットされることになる。
【０１５９】
許容閾値Ｔ＿ｔｈｒｅｓｈ＿１は、障害許容時間間隔（Ｆａｕｌｔ  Ｔｏｌｅｒａｎｃｅ  Ｔｉｍｅ  Ｉｎｔｅｒｖａｌ）「ＦＴＴＩ」にしたがって決定されることになる。障害許容時間間隔は、仕様によって規定され、欠陥の発生（危険な状況）と上記欠陥の時間との間で認可（ａｕｔｈｏｒｉｚｅｄ）される最大期間を表す。その結果は、パワーステアリングシステム１によって習得および補正される。
【０１６０】
より詳細には、許容閾値Ｔ＿ｔｈｒｅｓｈ＿１は、特に関数速度Ｖ＿ｆｕｎｃと過小推定速度Ｖ＿ｕｎｄｅｒとの間の移行を操作するために必要な期間をＦＴＴＩ期間内に含むことができるように、ＦＴＴＩよりも完全に小さくなるように選択されることになる。
【０１６１】
例として、ＦＴＴＩは、車両の乗員の安全を脅かす、非常に危険な欠陥に関連づけられる場合の２０ｍｓ（２０ミリ秒）と、安全性への懸念が低い欠陥に関与する場合の１ｓ（１秒）より長い時間との間にあり得る。
【０１６２】
さらに、なお、関数速度Ｖ＿ｆｕｎｃの、速度上限Ｖ＿ｕｐｐｅｒの、より一般には速度指示パラメータＶ＿ｐａｒａｍのリフレッシュ期間、すなわち、上記方法の繰り返しにおける連続した２回ｎ−１、ｎを隔てる期間は、好ましくは、実質的に５ｍｓ（５ミリ秒）と１０ｍｓ（１０ミリ秒）との間である。他方、アシストセットポイント（ｓｅｔｐｏｉｎｔ）における変化に応答する、ステアリング機構の、より一般には車両の特徴的な応答時間（典型的には、５％における応答時間）は、一般に、１００ｍｓ（１００ミリ秒）以上、３００ｍｓ（３００ミリ秒）以上、およびさらには数秒の範囲であることになる。
【０１６３】
図５Ａおよび５Ｂに例示する本発明の好適な変形例によると、上記方法は、切り換えステップ（ｅ）の後に、強化安全ステップ（ｆ）を含み得る。強化安全ステップ（ｆ）中に、安全モードがアクティブのままである、「安全期間」と呼ばれる期間が測定され、上記安全期間が所定の警戒閾値Ｔ＿ｔｈｒｅｓｈ＿２に達するかまたは超える場合、車両の速度を示すパラメータＶ＿ｐａｒａｍを過小推定速度Ｖ＿ｕｎｄｅｒから、速度上限Ｖ＿ｕｐｐｅｒ以上の、「強化安全速度」Ｖ＿ｅｎｈａｎｃｅｄと呼ばれる値に移行させることによって、安全モードから、強化安全モードと呼ばれる第３動作モードに切り換える。
【０１６４】
この変形例によると、欠陥、すなわち、関数速度Ｖ＿ｆｕｎｃが過小推定速度Ｖ＿ｕｎｄｅｒよりも低い（およびそれに維持される）ことが、例えば車輪２が加速段階においてすべっている（ｓｋｉｄｄｉｎｇ）状況などの一時的な特定のサービス状況を単に起点とする上記欠陥にとって、過度に長時間継続する状況を診断することが可能となるので有利である。
【０１６５】
そのような状況において、したがって、欠陥が車両の１つ以上のシステムまたはセンサーの持続する不全の表れであると想定する良い理由がある。
【０１６６】
そのようなわけで、このとき、強化安全モードは、車両の実際の速度にかかわらず、安全機能Ｆ２を絶対的に優先するためにアクティブにされる。
【０１６７】
この理由により、車両の速度を示すパラメータＶ＿ｐａｒａｍは、強化安全速度値Ｖ＿ｅｎｈａｎｃｅｄに強制的にされる。強化安全速度値Ｖ＿ｅｎｈａｎｃｅｄは、車両の実際の速度にかかわらず安全機能Ｆ２の有効性を保証するように、場合によっては、注目する時点において適用可能な速度上限Ｖ＿ｕｐｐｅｒ（図５Ａおよび５Ｂにおいて、連続な線で表される）に等しく、または好ましくは、車両についてのすべての可能な上限値よりも高い強制値（図５Ａおよび５Ｂにおいて点線で例示される）に等しく、したがって典型的には、車両の実際の可能な最大速度以上である。
【０１６８】
好ましくは、図４および５Ｂに示すように、車両の速度を示すパラメータＶ＿ｐａｒａｍの値の変更は、ある動作モードを別の動作モードに切り換える際に操作され、より詳細には、通常動作モードから安全モードへの切り換えのステップ（ｅ）中および／または強化安全ステップ（ｆ）中に操作され、ランプ（ｒａｍｐ）、補間（特に、多項式）関数、またはフィルタリングなどの少なくともＣ０の微分可能クラスを有する遷移則に従う。
【０１６９】
そのような穏やかな遷移により、車両の速度を示すパラメータＶ＿ｐａｒａｍの信号の連続性（少なくともＣ０）を確実にすることができることになり、したがって、ステアリングシステムのぎくしゃくした（ｊｅｒｋｙ）反応を回避し、特にパワーステアリングにおけるガタガタした揺れ（ｊｏｌｔ）を回避することができることになる。
【０１７０】
切り換えおよび／または遷移操作は、図２に示すように、低減則ＬＲの下流に配置された切り換え部４によって管理される。
【０１７１】
この切り換え部４はまた、比較ステップ（ｄ）を管理する。
【０１７２】
好ましくは、それ自体が発明を構成し得る好適な特徴によると、切り換えステップ（ｅ）は、クリッピングサブステップを含み得る。クリッピングサブステップ中は、速度指示パラメータＶ＿ｐａｒａｍの変化率Ｇｒａｄ（Ｖ＿ｐａｒａｍ）が第２の尤もらしい最大勾配Ｇｒａｄ＿ｒｅｆ＿２を使用する第２勾配リミッタ５によってクリッピング（ｃｌｉｐｐｉｎｇ）される。第２の尤もらしい最大勾配Ｇｒａｄ＿ｒｅｆ＿２は、車両が与えることのできる最大加速度または最大減速度を表す。
【０１７３】
この第２クリッピングは、上記の第１勾配リミッタ３によって行われるクリッピングと同様のやり方で、必要な変更を加えつつ、行われる。
【０１７４】
この例において、第２クリッピングは、ここで、速度指示パラメータＶ＿ｐａｒａｍの変化量を許容することからなる。
【０１７５】
【数１３】
2020533237.tif 000015
【０１７６】
これは、第２の尤もらしい最大勾配Ｇｒａｄ＿ｒｅｆ＿２によって規定されるように、車両の実際に可能な性能に整合する限度内だけで成り立つ。
【０１７７】
速度指示パラメータＶ＿ｐａｒａｍの変化量が第２勾配リミッタ５の飽和値ＳＡＴ−、ＳＡＴ＋間にあるならば、リフレッシュされた速度指示パラメータＶ＿ｐａｒａｍ（ｔ＿ｎ）は、速度指示パラメータＶ＿ｐａｒａｍとして受け取られる。
【０１７８】
そうではなく、変化量がこれら飽和値ＳＡＴ−、ＳＡＴ＋を超えるならば、速度指示パラメータは、尤もらしい最大勾配Ｇｒａｄ＿ｒｅｆ＿２に基づいて任意に再計算される。
【０１７９】
【数１４】
2020533237.tif 000016
【０１８０】
この第２クリッピングは、好ましくは切り換え／遷移規定段階の下流かつアシストＦ１機能および安全Ｆ２機能の上流において操作され、特に、例えば切り換え／遷移段階によって引き起こされる不連続から生じ得る速度指示パラメータＶ＿ｐａｒａｍの可能な一貫性のない変化量を考慮することを回避可能にすることになる。
【０１８１】
特に、この第２クリッピングは、上記のような連続（微分可能クラスＣ０）の遷移の、切り換えステップ時の管理に対して相補または代替となる予防的な対策を形成し得る。
【０１８２】
さらに、本発明は、もちろん、本発明による瞬間速度過小推定方法の適用を可能にする、計算機などのコントローラ１０を備えるパワーステアリングシステム１に関する。
【０１８３】
この目的のため、上記コントローラ１０は、低減則ＬＲを適用する少なくとも１つの過小推定部６、および好ましくは比較／切り換え部４ならびに第２勾配リミッタ５を含むプロセッシング部１１を含む１つ以上の電子および／またはソフトウエア部を備えることになる。
【０１８４】
コントローラはまた、速度上限Ｖ＿ｕｐｐｅｒ取得部１２を備え得る。速度上限Ｖ＿ｕｐｐｅｒ取得部１２は、好ましくは、例えば、入力速度Ｖ＿ｒｏｕｅとして、車両の１つ以上の車輪２の速度を利用し得る測定部７、および／または第１勾配リミッタ３を備え得る。
【０１８５】
最後に、コントローラ１０は、それぞれ上記機能Ｆ１、Ｆ２の実行を確実にするアシスト機能部１３および安全機能部１４を備えることになる。
【０１８６】
したがって、本発明はまた、そのようなパワーステアリングシステム１を備える、車両、および特に１つ以上の駆動およびステアード車輪２（好ましくは、２駆動輪、または例えば４駆動輪を備える全輪トランスミッション）を備える陸上車両に関する。
【０１８７】
もちろん、本発明は、上記の変形例だけに限定されない。当業者は、特に上記特徴を自由に単独で、または組み合わせて用いることが可能であるか、またはそれらをそれらの均等物と代替することも可能である。
【図１】
2020533237.tif 000017
【図２】
2020533237.tif 000018
【図３】
2020533237.tif 000019
【図４】
2020533237.tif 000020
【図５Ａ】
2020533237.tif 000021
【図５Ｂ】
2020533237.tif 000022
【国際調査報告】
2020533237.tif 000023
2020533237.tif 000024
2020533237.tif 000025
2020533237.tif 000026